(57)【要約】【課題】  遊技機の背板の通気口から液状の異物が入り込む場合において、不具合が発生するのを防止する遊技機を提供することを目的とする。【解決手段】遊技機筐体と、メイン制御基板Ｍと、メイン制御基板Ｍを収納するメイン基板ケースＭＣと、メイン基板ケースＭＣを遊技機筐体の背板２Ｂに固定するためのベース部材ＢＭと、を有する遊技機であって、遊技機筐体の背板２Ｂには、第１の通気口Ｂｈ１が形成されて、ベース部材ＢＭは背板２Ｂに締結されるととともに、ベース部材ＢＭと背板２Ｂとの間の隙間には、第１の通気口Ｂｈ１から侵入した液体を案内する導水路が形成される、ことを特徴とする遊技機。【選択図】  図６
2013085704.tif 000002
【特許請求の範囲】
【請求項１】
遊技機筐体と、
メイン制御基板と、
前記メイン制御基板を収納するメイン基板ケースと、
前記メイン基板ケースを前記遊技機筐体の背板に固定するためのベース部材と、を有する遊技機であって、
前記遊技機筐体の背板には、第１の通気口が形成されて、
前記ベース部材は前記背板に締結されるとともに、前記ベース部材と前記背板との間の隙間には、前記第１の通気口から侵入した液体を案内する導水路が形成される、
ことを特徴とする遊技機。
【請求項２】
請求項１に記載された遊技機は、
前記遊技機筐体に収納されるリールユニットを有し、
前記導水路は、前記第１の通気口から侵入した液体を、前記リールユニットを避ける位置に案内するように形成される、
ことを特徴とする遊技機。
【請求項３】
請求項２に記載された遊技機であって、
前記リールユニットよりも前記遊技機の一方の側板の側に、電源ユニットが配置され、
前記導水路は、前記電源ユニットが配置されている側と反対の側に前記液体を案内する、
ことを特徴とする遊技機。
【請求項４】
請求項１ないし３のいずれかに記載された遊技機であって、
前記ベース部材は、前記遊技機筐体の前記背板側に形成されて前記背板に圧接される被圧接リブを有し、
前記導水路内の側壁は、前記被圧接リブによって形成される、
ことを特徴とする遊技機。
【請求項５】
請求項４に記載された遊技機であって、
前記ベース部材は、前記導水路内において前記背板に向かって形成される内部リブを有して、当該内部リブは、前記背板に届かない高さに制限されて前記背板との間で隙間を形成し、
前記被圧接リブ及び前記内部リブは、格子状に形成される、
ことを特徴とする遊技機。
【請求項６】
請求項４に記載された遊技機であって、
前記ベース部材は、前記導水路内において前記背板に向かって形成される内部リブを有して、当該内部リブは、穴部を有するとともに前記背板に密着する部分を有し、
前記被圧接リブ及び前記内部リブは、格子状に形成される、
ことを特徴とする遊技機。
【請求項７】
請求項２ないし３のいずれかに記載された遊技機であって、
前記導水路は、前記リールユニットよりも前記遊技機の側板の側に、前記ベース部材の外部への出口を有する、
ことを特徴とする遊技機。
【請求項８】
請求項７に記載された遊技機であって、
前記遊技機筐体の前記背板には、前記液体が侵入する前記第１の通気口よりも下方に第２の通気口が形成され、
前記ベース部材に形成される前記導水路の前記出口は、前記出口から漏出する液体が前記第２の通気口に至るように形成される、
ことを特徴とする遊技機。
【請求項９】
請求項７に記載された遊技機であって、
前記リールユニットの下側には、遊技者に遊技メダルの払出しを行う遊技メダル払出し装置が配置され、
前記遊技メダル払出し装置の一方の側には、前記遊技メダル払出し装置から溢れた前記遊技メダルを受け入れる遊技メダル補助収納箱が配置され、
前記ベース部材に形成される前記導水路の前記出口は、前記遊技メダル補助収納箱の直上となる位置に形成される、
ことを特徴とする遊技機。
【請求項１０】
請求項１ないし９に記載された遊技機であって、
前記ベース部材の上端部は、前記第１の通気口の下側端面よりも上方に位置して、前記第１の通気口に跨るように形成される、
ことを特徴とする遊技機。
【発明の詳細な説明】
【技術分野】
【０００１】
本発明は、遊技機に関する。
【背景技術】
【０００２】
遊技機の背板には、筐体内部に実装される各種基板等の放熱を行うために通気口が形成されている。
【０００３】
なお、特許文献１（特開２０１０−２００９８８号公報）には、筺体本体の前面に開閉可能に取り付けられた扉体と、筺体本体の上面と筺体の上面の間に形成された開口部から、異物が侵入または浸入することを規制する異物規制部材とを備えた遊技台が開示されている。
【先行技術文献】
【特許文献】
【０００４】
【特許文献１】特開２０１０−２００９８８号公報
【発明の概要】
【発明が解決しようとする課題】
【０００５】
遊技機が設置されるホールでは、メダルをいれるドル箱を配置するための棚板が遊技機の上部に設けられることがある。この棚板には、例えば、遊技者が購入したドリンク等が一時的に載せられることもある。
【０００６】
しかしながら、遊技機の天板と棚板の間には隙間が存在する場合があり、ドリンク等がこぼれて当該隙間に侵入して遊技機の背板に至ってしまうと、液状の異物が通気口から入り込んで筐体内部の各種基板に悪影響を及ぼすことが想定される。
【０００７】
本発明は、遊技機の背板の通気口から液状の異物が入り込む場合において、不具合が発生するのを防止する遊技機を提供することを目的とする。
【課題を解決するための手段】
【０００８】
遊技機筐体と、メイン制御基板と、前記メイン制御基板を収納するメイン基板ケースと、前記メイン基板ケースを前記遊技機筐体の背板に固定するためのベース部材と、を有する遊技機であって、前記遊技機筐体の背板には、第１の通気口が形成されて、前記ベース部材は前記背板に締結されるとともに、前記ベース部材と前記背板との間の隙間には、前記第１の通気口から侵入した液体を案内する導水路が形成される、ことを特徴とする。
【０００９】
また、本発明に係る遊技機の一態様では、前記遊技機筐体に収納されるリールユニットを有し、前記導水路は、前記第１の通気口から侵入した液体を、前記リールユニットを避ける位置に案内するように形成される、ことを特徴としてもよい。
【００１０】
また、本発明に係る遊技機の一態様では、前記リールユニットよりも前記遊技機の一方の側板の側に、電源ユニットが配置され、前記導水路は、前記電源ユニットが配置されている側と反対の側に前記液体を案内する、ことを特徴としてもよい。
【００１１】
また、本発明にかかる遊技機の一態様では、前記ベース部材は、前記遊技機筐体の前記背板側に形成されて前記背板に圧接される被圧接リブを有し、前記導水路内の側壁は、前記被圧接リブによって形成される、ことを特徴としてもよい。
【００１２】
また、本発明に係る遊技機の一態様では、前記ベース部材は、前記導水路内において前記背板に向かって形成される内部リブを有して、当該内部リブは、前記背板に届かない高さに制限されて前記背板との間で隙間を形成し、前記被圧接リブ及び前記内部リブは、格子状に形成される、ことを特徴としてもよい。
【００１３】
また、本発明に係る遊技機の一態様では、前記ベース部材は、前記導水路内において前記背板に向かって形成される内部リブを有して、当該内部リブは、穴部を有するとともに前記背板に密着する部分を有し、前記被圧接リブ及び前記内部リブは、格子状に形成される、ことを特徴としてもよい。
【００１４】
また、本発明にかかる遊技機の一態様では、前記導水路は、前記リールユニットよりも前記遊技機の側板の側に、前記ベース部材の外部への出口を有する、ことを特徴としてもよい。
【００１５】
また、本発明に係る遊技機の一態様では、前記遊技機筐体の前記背板には、前記液体が侵入する前記第１の通気口よりも下方に第２の通気口が形成され、前記ベース部材に形成される前記導水路の前記出口は、前記出口から漏出する液体が前記第２の通気口に至るように形成される、ことを特徴としてもよい。
【００１６】
また、本発明に係る遊技機の一態様では、前記リールユニットの下側には、遊技者に遊技メダルの払出しを行う遊技メダル払出し装置が配置され、前記遊技メダル払出し装置の一方の側には、前記遊技メダル払出し装置から溢れた前記遊技メダルを受け入れる遊技メダル補助収納箱が配置され、前記ベース部材に形成される前記導水路の前記出口は、前記遊技メダル補助収納箱の直上となる位置に形成される、ことを特徴としてもよい。
【００１７】
また、本発明に係る遊技機の一態様では、前記ベース部材の上端部は、前記第１の通気口の下側端面よりも上方に位置して、前記第１の通気口に跨るように形成される、ことを特徴としてもよい。
【発明の効果】
【００１８】
本発明によれば、遊技機の背板の通気口から液状の異物が入り込む場合においても、筐体の内部に実装された機器に不具合が発生するのを防止することができる遊技機が提供される。
【図面の簡単な説明】
【００１９】
【図１】第１の実施形態にかかる遊技機の概観を示す斜視図である。
【図２】遊技機筐体の本体の内部の様子を正面からみた図である。
【図３】遊技機のリールユニットの構造を示す説明図である。
【図４】遊技機筐体の本体の背板の様子を説明するための斜視図である。
【図５】ベース部材を裏側から見た斜視図である。
【図６】ベース部材とメイン基板ケースとメイン基板の断面図である。
【図７】遊技機筐体の背板を取り除いて様子を示す図であり、導水路内を流れる液体の経路を説明するための図である。
【図８】第２の実施形態における遊技機の外観を示す下側からの斜視図である。
【発明を実施するための形態】
【００２０】
［第1の実施形態］
図１は、本発明の第１の実施形態にかかる遊技機１（スロットマシン）の概観を示す斜視図である。遊技機１の筐体は、リールユニット（リール可変表示装置）やメイン基板ケースを収納する本体２と、本体２の前面に配置した前面扉３から構成されている。本体２と前面扉３は、蝶番により片側で繋がって開閉できるようになっており、本体２は、天板と、底板と、左右両側の側板と、背板とによって箱状に構成されている。
【００２１】
また、前面扉３は、遊技者が遊技を行うためのボタン類が配置された操作部ＯＰ、リールユニットＲＬの図柄を視認させるためのリール窓や、遊技を進行するための情報が表示される表示器類が配置されたパネル表示部ＤＰ、遊技を進行するための情報が表示される液晶表示器類や電飾装置が配置された演出表示部ＴＰ、および、受皿部ＢＰから構成されている。
【００２２】
図２は、前面扉３を取り除いた状態の本体２の正面の様子を示しており、遊技機１の筐体内部の様子を説明するための図である。また図３は、遊技機１の筐体内部の中央に配置されるリールユニットＲＬの斜視図である。以下では、これらの図を用いて、遊技機筐体内の構成を順番に説明をする。
【００２３】
遊技機筐体の本体２は、図２で示されるように、底板２Ｕ、天板２Ｔ、背板２Ｂ、側板２Ｓにより、木製の箱状に形成されて、その内部には、リールユニットＲＬの他に、リール支持部材ＲＳと、メイン基板ケースＭＣと、メイン基板ケースＭＣを本体２の背板２Ｂに固定するためのベース部材ＢＭと、サブ基板ケースＳＣと、電源ユニットＥＣと、メダル払出ユニットＨＰと、メダル補助収納箱ＯＦと、が配置される。
【００２４】
リールユニットＲＬは、図３で示されるように、ステッピングモーターに固定されて回転動作をするリールＲ１〜Ｒ３と、これらを収納するケース体ＲＣを含んで構成される。リールＲ１〜Ｒ３は、軸部から放射線状に延びた複数のスポーク部と環状の枠からなるリール枠と、そのリール枠の周面に貼り付けられている２１個の各種の図柄が印刷されたリール帯を備え、リールＲ１〜Ｒ３のそれぞれは、ベース板に固定されるようになっている。そして、各ベース板は、ケース体ＲＣに設けられたガイドレールに沿って挿入されて、リールＲ１〜Ｒ３がケース体ＲＣ内に収容されるようになっている。
【００２５】
リール支持部材ＲＳは、図２で示されるように、本体２の側板２Ｓに取り付けられた支持部ＳＳと、背板２Ｂに取り付けられる板状の部材であり、リールユニットＲＬのケース体ＲＣを下側から支持して遊技機筐体内に固定する部材となっている。
【００２６】
つぎに、メイン基板ケースＭＣは、遊技機全体を制御するメイン制御基板を収容する透明のケースであり、ベース部材ＢＭを介して背板２Ｂに固定される。このメイン基板ケースＭＣには、ベース部材ＢＭからの取り外しを不能にするかしめ構造が取り付けられるほか、さらに、メイン基板ケースＭＣ自体を開封不能に封止するかしめ構造も取り付けられる。これらのメイン基板ケースＭＣおよびベース部材ＢＭは、図２で示されるように、リールユニットＲＬよりも上側の位置で背板２Ｂに固定される。本実施形態におけるベース部材ＢＭの詳細については、後述する。
【００２７】
サブ基板ケースＳＣは、効果音や効果演出を行うサブ制御基板を収容するケースであり、本体２の側板２Ｓに固定される。サブ基板ケースＳＣは、遊技者から見てリールユニットＲＬの左側の位置でリールユニットＲＬと同様の高さで固定され、サブ基板ケースＳＣにおいても、かしめ構造が取り付けられる。
【００２８】
リールユニットＲＬおよびリール支持部材ＲＳの下側には、メダル払出ユニットＨＰと、電源ユニットＥＣと、メダル補助収納箱ＯＦが配置される。メダル払出ユニットＨＰは、遊技メダル（メダル）を遊技の結果に応じて受皿部ＢＰに払い出す装置であり、リールユニットＲＬの直下に配置される。また、電源ユニットＥＣは、遊技機１の各部に電源を供給するための電源基板を収納するボックスであり、メダル補助収納箱ＯＦは、メダル払出ユニットＨＰから溢れたメダルを受け入れるボックスである。図２で示されるように、電源ユニットＥＣはサブ基板ケースＳＣの下側に配置され、メダル補助収納箱ＯＦは、リールユニットＲＬを基準として電源ユニットＥＣが配置される側の反対側に配置されて図中右側の側板２Ｓに沿って位置している。
【００２９】
なお、本実施形態のメダル補助収納箱ＯＦは、底部に穴部を有しており、メダル払出ユニットＨＰから溢れたメダルが底板２Ｕに形成された穴部を介してホール側のメダル回収システムに回収されるようになっている。しかしながら、メダル補助収納箱ＯＦの底部に穴部が存在せずともよく、メダル払出ユニットＨＰから溢れたメダルが蓄積されるようになっていてもよいのはいうまでもない。
【００３０】
ここで、上述したような本実施形態の遊技機１においては、遊技機１の上方に設置される棚板で飲料等が零れると、棚板と天板２Ｔの隙間を介して背板２Ｂに至ることが想定される。遊技機筐体の本体２の背板２Ｂの各所には、図４で示されるように、筐体内の各種基板や熱源のレイアウトに合わせて第１〜第４の通気口Ｂｈ１〜Ｂｈ４が配置されているため、零れた飲料等が、背板２Ｂの各通気口に至って筐体内部に侵入することが考えられる。
【００３１】
本実施形態の遊技機１では、このような通気口から侵入する液体状の異物に着目しており、図５の斜視図で示されるようなベース部材ＢＭを背板２Bに締め付けて固定し、ベース部材ＢＭと背板２Ｂとの間に生じる隙間によって導水路を形成するようにしている。このような導水路により、メイン基板ケースＭＣに至る前にベース部材ＢＭと背板２Ｂの隙間に液体が誘導されるため、メイン基板ケースＭＣの内部への液体の侵入が防止されることとなる。以下においては、本実施形態におけるベース部材ＢＭと、ベース部材ＢＭが取り付けられる背板２Ｂをさらに具体的に説明をする。
【００３２】
図５は、本実施形態におけるベース部材ＢＭの斜視図であり、ベース部材ＢＭの背板２Ｂに面する側の様子を示すものである。ベース部材ＢＭは、前面扉３側にてメイン基板ケースＭＣと接触する平板状の部分を有し、当該平板状の部分から背板２Ｂ側に突出するリブを有している。そして、ベース部材ＢＭは、４箇所のネジ穴Ｓｈのそれぞれに背板２Ｂを介してネジが挿入されることにより、背板２Ｂに締め付けられて固定されるようになっている。
【００３３】
平板状の部分の背板２Ｂ側に形成されるリブとしては、まず、背板２Ｂに圧接されるリブ（被圧接リブＰＲ）があり、被圧接リブＰＲには、ベース部材ＢＭの外形に沿って形成されるものや、外形の内側で格子状に形成されるものがある。そして、前述した導水路は、ベース部材ＢＭにおける平板状の部分と背板２Ｂとの間（具体的には、メイン基板ケースＭＣと接触する部分の背板２Ｂ側の面と、背板２Ｂの内側の面の間）に形成されており、背板２Ｂに圧接された被圧接リブＰＲによって導水路の側壁が形成されて、侵入した液体が誘導されるようになっている。
【００３４】
また、ベース部材ＢＭは、被圧接リブＰＲのほかに、導水路の内側に形成される内部リブＩＲを有しており、図５で示されるように、被圧接リブＰＲと内部リブＩＲが格子状に形成される。内部リブＩＲは、導水路の側壁を形成する２つの被圧接リブＰＲ間に形成されるリブであり、侵入した液体が導水路内を通過するのを完全に遮断することがないように、背板２Ｂに届かない高さに制限されて導水路内に隙間を生じさせている。なお、図５における内部リブＩＲは、導水路の側壁を形成する２つの被圧接リブＰＲ間の全体で、背板２Ｂに届かない高さになっているが、少なくとも一部において背板２Ｂに圧接されていてもよい。また、内部リブＩＲが、導水路を形成する２つの被圧接リブＰＲ間を横断して背板２Ｂに密着して形成されるような場合であっても、当該内部リブＩＲに穴部が形成されて、これにより導水路内に隙間を生じさせるようにしてもよい。
【００３５】
次に、図６は、図２におけるIV−IV断面の様子を示す断面図である。図６における一点鎖線は、天板２Ｔおよび背板２Ｂから第１の通気口Ｂｈ１を伝って、ベース部材ＢＭと背板２Ｂの隙間に形成された導水路の入り口に液体が侵入する様子を示している。
【００３６】
図６の断面図で示されるように、ベース部材ＢＭの上端部Ｅ２は、第１の通気口Ｂｈ１の下側端面Ｅ１よりも上方に位置して、第１の通気口Ｂｈ１に跨るように形成される。具体的には、ベース部材ＢＭの上辺を形成する上端部Ｅ２は、第１の通気口Ｂｈ１の下辺よりも上方で平板状の部分から折れ曲がって形成されており、上端部Ｅ２における背板２Ｂ側の端面は、筐体内部の内側にとどまるようになっている。これにより、第１の通気口Ｂｈ１の気道を確保しつつ、侵入する液体を導水路内に導きやすい構造になっている。
【００３７】
また、ベース部材ＢＭは、図６で示されるように、格子状に形成された被圧接リブＰＲの背板２Ｂ側の端面が、背板２Ｂに密着するようになっており、ベース部材ＢＭの前面扉３側には、メイン基板ケースＭＣが固定されるようになっている。メイン基板ケースＭＣは、ケース部材ＭＣａとカバー部材ＭＣｂを含んで構成されて、ケース部材ＭＣａとカバー部材ＭＣｂは、蝶番によって開閉できるように連結される。また、メイン基板ケースＭＣの内部にはメイン制御基板Ｍが収納され、メイン制御基板Ｍは、固定ネジによってメイン基板ケースＭＣに固定される。第１の通気口Ｂｈ１から侵入した液体は、メイン基板ケースＭＣの蝶番の部分や、ケース部材ＭＣａとカバー部材ＭＣｂの境界を避けて、平板状の部分の背板２Ｂ側を経て下側へと誘導されることなる。
【００３８】
なお、ベース部材ＢＭは、メイン基板ケースＭＣを装着するための不図示のガイドレールを有しており、本実施形態のガイドレールは、天板２Ｔや底板２Ｕに対して平行な方向に伸びるものとなっている。メイン基板ケースＭＣは、ベース部材ＢＭに押しつけられつつ横方向にスライドされることにより、ベース部材ＢＭに略固定され、さらに、かしめ構造で封印されることにより筐体内でセットされる。
【００３９】
図７は、本実施形態において背板２Ｂを取り除いた遊技機１の状態を示す図であり、導水路を流れる液体の様子を説明するための図である。
【００４０】
図７や図５、さらには、図２の正面図からわかるように、本実施形態の導水路は、第１の通気口Ｂｈ１の左右両側に広がって、第１の通気口Ｂｈ１からしたたる液体を受ける部分を有している。そしてさらに、当該液体を受ける部分から遊技機筐体の下側に伸びる部分と、当該下側に伸びる部分からさらに電源ユニットＥＣの反対側に伸びる部分とを有して、正面（遊技者側）から見て、侵入した液体がリールユニットと重ならない位置まで誘導されるようになっている。このように本実施形態では、第１の通気口Ｂｈ１から侵入した液体が、リールユニットＲＬが配置されている位置を避けて案内されるため、リールユニットＲＬで液体が撥ねて、メイン制御基板に接続されるコネクタやメイン基板ケースＭＣ等に液体がかかることが防止される。
【００４１】
また、図７や図５で示されるように、本実施形態の導水路は、電源ユニットＥＣ側の側壁を形成する被圧接リブＰＲと、メダル補助収納箱ＯＦ側の側壁を形成する被圧接リブＰＲとの一対の被圧接リブＰＲによって構成されて、当該一対の被圧接リブＰＲの間に液体が流れる経路が形成される。また、導水路の入り口では、当該一対の被圧接リブＰＲの間に第１の通気口Ｂｈ１が介在しており、導水路の出口においては、当該一対の被圧接リブＰＲの間に、導水路の出口となる切り欠き部ＣＰが介在している。本実施形態の導水路（一対の被圧接リブＰＲ）は、第１の通気口Ｂｈ１からの液体を受ける部分を経て、遊技者から見てＬ字状になるように形成されて電源ユニットＥＣの反対側に折れ曲がっている。これにより、侵入した液体がリールユニットＲＬや電源ユニットＥＣ、サブ基板ケースＳＣの各々を避けて、メダル補助収納箱ＯＦ側に誘導されて筐体内部の電子機器等に悪影響が及ぼされることが防止される。
【００４２】
また、導水路の出口となる切り欠き部ＣＰは、リールユニットＲＬのケース体ＲＣよりも側板２Ｓに近い位置に形成される。この切り欠き部ＣＰは、背板２Ｂに形成される第２の通気口Ｂｈ２よりも上方に位置して、切り欠き部ＣＰから漏出した液体が第２の通気口Ｂｈ２に至るようになっている。本実施形態では、図２等で示されるように、正面から見て第２の通気口Ｂｈ２の鉛直上方となる位置に切り欠き部ＣＰが存在し、筐体内に侵入した液体が外部に排出されるようになっている。
【００４３】
[第２の実施形態]
次に、本発明の第２の実施形態に係る遊技機１について説明をする。第２の実施形態では、導水路の出口となる穴部ＨＬが、メダル補助収納箱ＯＦの直上となる位置で背板２Ｂから離れて形成されて、穴部ＨＬから落下する水がメダル補助収納箱ＯＦに受け入れられる。
【００４４】
図８は、第２の実施形態に係る遊技機１を下側から斜視をした図であり、前面扉３およびリールユニットＲＬが取り除かれた状態となっている。同図で示されるように、ベース部材ＢＭの導水路の終点となる位置に穴部ＨＬが形成されて、一点鎖線で示されるような経路で液体が落下してメダル補助収納箱ＯＦに受け入れられる。また、リール支持部材ＲＳには、穴部ＨＬの位置に対応して欠落部ＨＡが形成されて、穴部ＨＬから落下する液体は欠落部ＨＡを介してメダル補助収納箱ＯＦに至るようになっており、これによって、筐体内に侵入した液体による悪影響が防止される。第２の実施形態は、このような点で第１の実施形態と異なっており、他の構成については第１の実施形態とほぼ同様の構成となっている。
【００４５】
なお、上記の各実施形態のように、正面から見てリールユニットＲＬと重複しない位置に導水路の出口（切り欠き部ＣＰや穴部ＨＬ）が形成されて、遊技機筐体の外部や、メダル補助収納箱ＯＦに異物である液体が案内されるのが望ましい。しかしながら、導水路の末端で一対の被圧接リブＰＲが繋がることにより、その出口が形成されない場合であってもよく、このような場合であっても、ベース部材ＢＭと背板２Ｂの隙間に液体が案内されて導水路内に停滞することで、メイン基板ケースＭＣの内部への液体の侵入が防がれることになる。なお本発明は、上述した各実施形態に限定されるものではなく種々の変形が可能であることは言うまでもない。
【符号の説明】
【００４６】
１  遊技機、２  本体、２Ｔ  天板、２Ｂ  背板、２Ｕ  底板、２Ｓ  側板、３  前面扉、ＢＰ  受皿部、ＤＰ  パネル表示部、  ＯＰ  操作部、ＴＰ  演出表示部、ＥＣ  電源ユニット、ＨＰ  メダル払出ユニット、ＭＣ  メイン基板ケース、ＳＣ  サブ基板ケース、ＳＳ  固定部、ＯＦ  メダル補助収納箱、ＲＣ  ケース体、ＲＬ  リールユニット、ＲＳ  リール支持部材、Ｂｈ１〜Ｂｈ４  第１〜第４の通気口、ＢＭ  ベース部材、ＣＰ  切り欠き部、Ｅ２  上端部、Ｓｈ  ネジ穴、ＰＲ  被圧接リブ、ＩＲ  内部リブ、Ｅ１  下側端面、Ｍ  メイン制御基板、ＭＣａ  ケース部材、Ｍｃｂ  カバー部材、ＨＬ  穴部、ＨＡ  欠落部。
【図１】
2013085704.tif 000003
【図２】
2013085704.tif 000004
【図３】
2013085704.tif 000005
【図４】
2013085704.tif 000006
【図５】
2013085704.tif 000007
【図６】
2013085704.tif 000008
【図７】
2013085704.tif 000009
【図８】
2013085704.tif 000010
【手続補正書】
【提出日】平成24年4月12日(2012.4.12)
【手続補正１】
【補正対象書類名】特許請求の範囲
【補正対象項目名】全文
【補正方法】変更
【補正の内容】
【特許請求の範囲】
【請求項１】
遊技機筐体と、
メイン制御基板と、
前記メイン制御基板を収納するメイン基板ケースと、
前記メイン基板ケースを前記遊技機筐体の背板に固定するためのベース部材と、を有する遊技機であって、
前記遊技機筐体の背板には、第１の通気口が形成されて、
前記ベース部材は、前記背板との間に隙間を形成しつつ前記背板に締結されており、
前記隙間によって、前記第１の通気口から侵入した液体を案内する導水路が形成される、
ことを特徴とする遊技機。
【請求項２】
請求項１に記載された遊技機は、
前記遊技機筐体に収納されるリールユニットを有し、
前記導水路は、前記第１の通気口から侵入した液体を、前記リールユニットを避ける位置に案内するように形成される、
ことを特徴とする遊技機。
【請求項３】
請求項２に記載された遊技機であって、
前記リールユニットよりも前記遊技機の一方の側板の側に、電源ユニットが配置され、
前記導水路は、前記電源ユニットが配置されている側と反対の側に前記液体を案内する、
ことを特徴とする遊技機。
【請求項４】
請求項１ないし３のいずれかに記載された遊技機であって、
前記ベース部材は、前記遊技機筐体の前記背板側に形成されて前記背板に圧接される被圧接リブを有し、
前記導水路内の側壁は、前記被圧接リブによって形成される、
ことを特徴とする遊技機。
【請求項５】
請求項４に記載された遊技機であって、
前記ベース部材は、前記導水路内において前記背板に向かって形成される内部リブを有して、当該内部リブは、前記背板に届かない高さに制限されて前記背板との間で隙間を形成し、
前記被圧接リブ及び前記内部リブは、格子状に形成される、
ことを特徴とする遊技機。
【請求項６】
請求項４に記載された遊技機であって、
前記ベース部材は、前記導水路内において前記背板に向かって形成される内部リブを有して、当該内部リブは、穴部を有するとともに前記背板に密着する部分を有し、
前記被圧接リブ及び前記内部リブは、格子状に形成される、
ことを特徴とする遊技機。
【請求項７】
請求項２ないし３のいずれかに記載された遊技機であって、
前記導水路は、前記リールユニットよりも前記遊技機の側板の側に、前記ベース部材の外部への出口を有する、
ことを特徴とする遊技機。
【請求項８】
請求項７に記載された遊技機であって、
前記遊技機筐体の前記背板には、前記液体が侵入する前記第１の通気口よりも下方に第２の通気口が形成され、
前記ベース部材に形成される前記導水路の前記出口は、前記出口から漏出する液体が前記第２の通気口に至るように形成される、
ことを特徴とする遊技機。
【請求項９】
請求項７に記載された遊技機であって、
前記リールユニットの下側には、遊技者に遊技メダルの払出しを行う遊技メダル払出し装置が配置され、
前記遊技メダル払出し装置の一方の側には、前記遊技メダル払出し装置から溢れた前記遊技メダルを受け入れる遊技メダル補助収納箱が配置され、
前記ベース部材に形成される前記導水路の前記出口は、前記遊技メダル補助収納箱の直上となる位置に形成される、
ことを特徴とする遊技機。
【請求項１０】
請求項１ないし９のいずれかに記載された遊技機であって、
前記ベース部材の上端部は、前記第１の通気口の下側端面よりも上方に位置して、前記第１の通気口に跨るように形成される、
ことを特徴とする遊技機。
【請求項１１】
請求項１ないし１０のいずれかに記載された遊技機であって、
前記導水路では、前記背板の前記ベース部材側の面が当該導水路の内壁となって、前記ベース部材側の面を伝って前記液体が案内される、
ことを特徴とする遊技機。